(57)【要約】【課題】圧縮機が再起動する際には、圧縮機の冷媒入口側と冷媒出口側との圧力が平衡化していて、圧縮機が確実に再起動する冷却庫を得る。【解決手段】本発明の冷却庫では、冷却室５ａ・５ｂの温度センサ２５ａ・２５ｂの検知温度ＤＲ・ＤＦのいずれも、冷却室５ａ・５ｂ毎に設定されたオフ温度値Ｄｆ１・Ｄｆ２以下になると圧縮機１２を停止し、その後に温度センサ２５ａ・２５ｂの検知温度ＤＲ・ＤＦのいずれかが、冷却室５ａ・５ｂ毎に設定されたバイパスオン温度値Ｄｂ１・Ｄｂ２以上になると、バイパス路３１の電磁弁３２を開弁時間ｂｔだけオンする。その後に圧縮機１２を再起動させる。【選択図】図１
2010025483.tif 000002
【特許請求の範囲】
【請求項１】
冷却室（５）と、該冷却室（５）に配された冷却器（６）とを有し、冷却器（６）に圧縮機（１２）で圧縮されて凝縮器（１３）で液化された冷媒が供給されることで、冷却室（５）内が冷却されるようになっており、
温度センサ（２５）により検知された冷却室（５）の検知温度（Ｄ）が、所定のオフ温度値（Ｄｆ）以下になると圧縮機（１２）が停止され、その後に温度センサ（２５）の検知温度（Ｄ）が、所定のオン温度値（Ｄｎ）以上になると圧縮機（１２）が再起動される冷却庫において、
圧縮機（１２）の冷媒入口（１２ａ）と冷媒出口（１２ｂ）とを接続するバイパス路（３１）を有し、該バイパス路（３１）には、これを開閉する電磁弁（３２）が設けられており、
温度センサ（２５）の検知温度（Ｄ）が、前記オフ温度（Ｄｆ）よりも高く、且つ前記オン温度（Ｄｎ）よりも低い所定のバイパスオン温度（Ｄｂ）に達すると、バイパス路（３１）の電磁弁（３２）が所定の開弁時間（ｂｔ）だけ開弁され、その後に圧縮機（１２）の再起動が行われるようになっていることを特徴とする冷却庫。
【請求項２】
複数個の冷却室（５ａ・５ｂ）と、各冷却室（５ａ・５ｂ）に配された冷却器（７・９）とを有し、これら冷却器（７・９）に圧縮機（１２）で圧縮されて凝縮器（１３）で液化された冷媒が供給されることで、各冷却室（５ａ・５ｂ）内が冷却されるようになっており、
温度センサ（２５ａ・２５ｂ）により検知された各冷却室（５ａ・５ｂ）の検知温度（ＤＲ・ＤＦ）のいずれも、冷却室（５ａ・５ｂ）毎に設定された所定のオフ温度（Ｄｆ１・Ｄｆ２）以下になったことで圧縮機（１２）が停止された後に、温度センサ（２５ａ・２５ｂ）の検知温度（ＤＲ・ＤＦ）のいずれかが、冷却室（５ａ・５ｂ）毎に設定された所定のオン温度（Ｄｎ１・Ｄｎ２）以上になると圧縮機（１２）が再起動される冷却庫において、
圧縮機（１２）の冷媒入口（１２ａ）と冷媒出口（１２ｂ）とを接続するバイパス路（３１）を有し、該バイパス路（３１）には、これを開閉する電磁弁（３２）が設けられており、
温度センサ（２５ａ・２５ｂ）の検知温度（ＤＲ・ＤＦ）のいずれかが、前記オフ温度（Ｄｆ１・Ｄｆ２）よりも高く、且つ前記オン温度（Ｄｎ１・Ｄｎ２）よりも低い冷却室（５ａ・５ｂ）毎に設定された所定のバイパスオン温度（Ｄｂ１・Ｄｂ２）に達すると、バイパス路（３１）の電磁弁（３２）が所定の開弁時間（ｂｔ）だけ開弁され、その後に圧縮機（１２）の再起動が行われるようになっていることを特徴とする冷却庫。
【発明の詳細な説明】
【技術分野】
【０００１】
本発明は、圧縮機の作動で圧縮されて凝縮器で液化された冷媒が、冷却室内に配置された冷却器へ供給されて気化することで、冷却室内が冷却される冷却庫に関する。
【背景技術】
【０００２】
この種の冷却庫としては、例えば特許文献１が公知である。特許文献１の冷却庫では、圧縮機の作動によって各冷却室内がそれぞれ所定のオフ温度以下に冷却されると圧縮機を停止し、その後に冷却室の温度がオン温度以上に上昇すると圧縮機を再起動する。また、特許文献１の冷却庫では、圧縮機の冷媒入口側と冷媒出口側とがバイパス路で接続され、該バイパス路に電磁弁が配置されている。そして、圧縮機が停止すると（オフ温度になると同時に）、バイパス路の電磁弁を開弁して（特許文献１の段落番号００１８参照）、圧縮機の冷媒入口側と冷媒出口側との圧力を平衡化し、これにより、圧縮機の冷媒入口側と冷媒出口側との圧力差が、圧縮機の再起動時の負荷になって起動不良等が生じることを防いでいる。
【０００３】
【特許文献１】特開２００７−２０５６８１号公報（図２）
【発明の開示】
【発明が解決しようとする課題】
【０００４】
特許文献１に示す冷却庫では、例えばオフ温度からオン温度に至るまでの時間幅が短く、圧縮機の停止から再起動までの時間が短い場合には、圧縮機の冷媒入口側と冷媒出口側との圧力が十分に平衡化する前にバイパス路の電磁弁が閉弁してしまうおそれがある。このため、圧縮機の冷媒入口側と冷媒出口側との間に圧力差が残っていると、圧縮機の再起動時の負荷になって起動不良等が生じるおそれがあった。
【０００５】
本発明は、以上のような問題を解決するためになされたものであり、再起動時における圧縮機の冷媒入口側と冷媒出口側との圧力を確実に平衡化することができ、圧縮機を動作不良無く再起動することができる信頼性に優れた冷却庫を得ることを目的とする。
【課題を解決するための手段】
【０００６】
本発明は、冷却室５と、冷却室５に配された冷却器６とを有し、冷却器６に圧縮機１２で圧縮されて凝縮器１３で液化された冷媒が供給されることで、冷却室５内が冷却されるようになっており、温度センサ２５により検知された冷却室５の検知温度Ｄが、所定のオフ温度値Ｄｆ以下になると圧縮機１２が停止され、その後に温度センサ２５の検知温度Ｄが、所定のオン温度値Ｄｎ以上になると圧縮機１２が再起動される冷却庫を対象とする。
この冷却庫は、圧縮機１２の冷媒入口１２ａと冷媒出口１２ｂとを接続するバイパス路３１を有し、該バイパス路３１には、これを開閉する電磁弁３２が設けられている。そして、温度センサ２５の検知温度Ｄが、前記オフ温度Ｄｆよりも高く、且つ前記オン温度値Ｄｎよりも低い所定のバイパスオン温度値Ｄｂに達すると、バイパス路３１の電磁弁３２が所定の開弁時間ｂｔだけ開弁され、その後に圧縮機１２の再起動が行われるようにしたことを特徴とする。
【０００７】
また本発明は、複数個の冷却室５ａ・５ｂと、各冷却室５ａ・５ｂに配された冷却器７・９とを有し、これら冷却器７・９に圧縮機１２で圧縮されて凝縮器１３で液化された冷媒が供給されることで、各冷却室５ａ・５ｂ内が冷却されるようになっており、温度センサ２５ａ・２５ｂにより検知された各冷却室５ａ・５ｂの検知温度ＤＲ・ＤＦのいずれも、冷却室５ａ・５ｂ毎に設定された所定のオフ温度Ｄｆ１・Ｄｆ２以下になったことで圧縮機１２が停止された後に、温度センサ２５ａ・２５ｂの検知温度ＤＲ・ＤＦのいずれかが、冷却室５ａ・５ｂ毎に設定された所定のオン温度Ｄｎ１・Ｄｎ２以上になると圧縮機１２が再起動される冷却庫を対象とする。
この冷却庫は、圧縮機１２の冷媒入口１２ａと冷媒出口１２ｂとを接続するバイパス路３１を有し、該バイパス路３１には、これを開閉する電磁弁３２が設けられている。そして、温度センサ２５ａ・２５ｂの検知温度ＤＲ・ＤＦのいずれかが、前記オフ温度Ｄｆ１・Ｄｆ２よりも高く、且つ前記オン温度値Ｄｎ１・Ｄｎ２よりも低い冷却室５ａ・５ｂ毎に設定された所定のバイパスオン温度値Ｄｂ１・Ｄｂ２以上になると、バイパス路３１の電磁弁３２が所定の開弁時間ｂｔだけ開弁され、その後に圧縮機１２の再起動が行われるようにしたことを特徴とする。なお、冷却室が３以上の場合でも同様である。
【発明の効果】
【０００８】
本発明に係る冷却庫では、圧縮機１２が停止した後に、温度センサ２５によって検知された冷却室５の検知温度Ｄが、圧縮機１２が停止されるオフ温度Ｄｆよりも高く、且つ圧縮機１２が再起動されるオン温度Ｄｎよりも低いバイパスオン温度Ｄｂに達すると、バイパス路３１の電磁弁３２を開弁時間ｂｔだけオンさせ、その後に、圧縮機１２を再起動させるようにした。つまり、バイパスオン温度Ｄｂに達すると、開弁時間ｂｔだけ電磁弁３２を開弁し、開弁時間ｂｔの経過時において検知温度Ｄがオン温度Ｄｎに既に達している場合、或いはその後に検知温度Ｄがオン温度Ｄｎに達すると、圧縮機１２を再起動させるようにした。
【０００９】
これによれば、冷却室５内の検知温度Ｄとは無関係に、電磁弁３２の開弁時間ｂｔを確保することができる。つまり、冷却室５内の検知温度Ｄが圧縮機１２の再起動温度（オン温度）Ｄｎに達したこととは無関係に、確実に開弁時間ｂｔだけ電磁弁３２を開操作し、その後に圧縮機１２を再起動させることができる。これにて、圧縮機１２の冷媒入口１２ａ側と冷媒出口１２ｂ側との圧力を確実に平衡化（均圧化）することができるので、圧縮機１２の再起動時における起動不良の発生を効果的に防ぎ、信頼性に優れた冷却庫を得ることができる。バイパス路３１の電磁弁３２は、冷却室５内の検知温度Ｄが前記オン温度Ｄｎに上昇する前のバイパスオン温度Ｄｂになるとオンするので、バイパス路３１の電磁弁３２がオンの間に、前記検知温度Ｄがオン温度Ｄｎ以上になる期間を短くすることができ、冷却室５内の温度上昇を抑えることができる。
【００１０】
冷却庫が２以上の冷却室５を備える場合も同様である。すなわち、冷却室５ａ・５ｂ内の検知温度ＤＲ・ＤＦが圧縮機１２の再起動温度（オン温度）Ｄｎ１・Ｄｎ２に達したこととは無関係に、確実に開弁時間ｂｔだけ電磁弁３２を開操作し、その後に圧縮機１２を再起動させることができる。これにて、圧縮機１２の冷媒入口１２ａ側と冷媒出口１２ｂ側との圧力をより確実に平衡化（均圧化）することができるので、圧縮機１２の再起動時における起動不良の発生を効果的に防ぎ、信頼性に優れた冷却庫を得ることができる。バイパス路３１の電磁弁３２は、冷却室５ａ・５ｂ内の検知温度ＤＲ・ＤＦが前記オンＤｎ１・Ｄｎ２に上昇する前のバイパスオン温度Ｄｂになるとオンするので、バイパス路３１の電磁弁３２がオンの間に、前記検知温度ＤＲ・ＤＦがオン温度Ｄｂ１・Ｄｂ２以上になる期間を短くすることができ、冷却室５ａ・５ｂ内の温度上昇を抑えることができる。
【発明を実施するための最良の形態】
【００１１】
本発明に係る冷却庫の実施形態を図１ないし図５に基づいて説明する。なお、本実施形態においては、２つの冷却室５（冷蔵室５ａと冷凍室５ｂ）と有する場合を例にして説明する。図２において冷却庫には、前面が開口する断熱構造のケース本体１と、該ケース本体１の内部空間を上下に仕切る断熱構造の仕切り壁２と、ケース本体１の下側に配置した機械室３とを備えている。そして、ケース本体１内における仕切り壁２の上部に冷蔵室５ａを備え、仕切り壁２の下部に冷凍室５ｂを備える。
【００１２】
冷蔵室５ａおよび冷凍室５ｂ内には、冷却器６として冷却器７・９がそれぞれ配置される。冷蔵室５ａの冷却器７は、冷蔵室５ａの後部に配置されたダクト４内の上端部に配置される。そして、ダクト４の上部開口に配置したファン８によってダクト４内に吸い込まれた冷蔵室５ａ内の冷気が、冷却器７で冷却されたのち、ダクト４の下部開口から冷蔵室５ａ内に吹き出される。冷凍室５ｂの冷却器９は、パネル状に形成されて冷凍室５ｂの内壁に配置される。冷蔵室５ａ内は、例えば３℃に冷却され、冷凍室５ｂ内は、例えば−３０℃に冷却される。冷蔵室５ａおよび冷凍室５ｂの各前面開口は、断熱構造の扉１０・１１によってそれぞれ開閉操作される。
【００１３】
機械室３内には、図１および図２に示すように、冷凍機構１８が配置されており、該冷凍機構１８は、一台の圧縮機１２と一台の凝縮器１３とによって構成される。そして、各冷却器７・９の冷媒入口７ａ・９ａが、膨張弁１６・２０および電磁弁１５・１９を介して凝縮器１３の冷媒出口１３ｂにそれぞれ接続され、凝縮器１３の冷媒入口１３ａが圧縮機１２の冷媒出口１２ｂに接続される。また、冷蔵室５ａの冷却器７の冷媒出口７ｂが、キャピラリチューブ１７を介して圧縮機１２の冷媒入口１２ａに接続され、冷凍室５ｂの冷却器９の冷媒出口９ｂが、逆止弁２１を介して圧縮機１２の冷媒入口１２ａに接続される。
【００１４】
圧縮機１２の冷媒入口１２ａと冷媒出口１２ｂとは、バイパス路３１で接続されており、バイパス路３１には、電磁弁３２およびキャピラリチューブ３３が配置されている。キャピラリチューブ３３によって冷媒の流量が制限される。冷蔵室５ａには、図２に示すように冷却器７に臨ませてヒータ２２が配置されており、該ヒータ２２によって冷却器７の除霜等が行われる。冷蔵室５ａおよび冷凍室５ｂには、各室５・６内の温度を検知する温度センサ２５としての温度センサ２５ａ・２５ｂ（図１）をそれぞれ配置してある。なお、凝縮器１３は、ファン１４の送風によって冷却される。
【００１５】
冷却庫には、図１に示すように、各温度センサ２５ａ・２５ｂの検知温度に基づいて各電磁弁１５・１９・３２のオンオフや圧縮機１２の作動および停止等を制御する制御部２３が設けられている。制御部２３は、冷蔵室５ａおよび冷凍室５ｂ用の電磁弁１５・１９の少なくとも一方がオン（開弁）しているときには圧縮機１２を作動させており、前記電磁弁１５・１９がいずれもオフ（閉弁）のときには圧縮機１２を停止する。そして、冷蔵室用の電磁弁１５がオンしたときには、圧縮機１２で圧縮されて凝縮器１３で液化した冷媒が冷蔵室用の冷却器７に供給され、該冷媒の気化熱で冷蔵室５ａ内が冷却される。また、冷凍室用の電磁弁１９がオンしたときには、圧縮機１２で圧縮されて凝縮器１３で液化した冷媒が冷凍室用の冷却器９に供給され、該冷媒の気化熱で冷凍室５ｂ内が冷却される。
【００１６】
次に、本発明の冷却庫の動作を図３および図４のフローチャート（以下、本フローチャートと記す。）を用いて説明する。制御部２３には、計時用のタイマー２９（図１）が内蔵されており、該タイマー２９は、本フローチャートの実行開始の際にはリセットされている。また、本フローチャートの実行が開始される際には、各電磁弁１５・１９・３２がそれぞれオフになっており、圧縮機１２は停止している。なお、説明の都合上、本フローチャートの実行開始の際には、圧縮機１２は作動したのちに停止している状態であるとする。
【００１７】
まず制御部２３は、温度センサ２５ａによる冷蔵室５ａの検知温度ＤＲが、予め設定された所定の第１バイパスオン温度値Ｄｂ１（例えば６℃）以上、又は温度センサ２５ｂによる冷凍室５ｂの検知温度ＤＦが、予め設定された所定の第２バイパスオン温度値Ｄｂ２（例えば−２９℃）以上になったか否かを判断する（Ｓ１、Ｓ２）。扉１０・１１の開閉等によって冷蔵室５ａおよび冷凍室５ｂの温度は上昇している。これに伴って冷蔵室５ａの検知温度ＤＲが第１バイパスオン温度値Ｄｂ１以上、又は冷凍室５ｂの検知温度ＤＦが第２バイパスオン温度値Ｄｂ２以上になると（Ｓ１又はＳ２でＹＥＳ）、制御部２３は、温度センサ２５ａ・２５ｂの検知温度ＤＲ・ＤＦのいずれかがバイパスオン温度値Ｄｂ１・Ｄｂ２以上になったと判断して、タイマー２９による計時を開始する（Ｓ３）。
【００１８】
その後、制御部２３は、タイマー２９の計時時間Ｔが、予め設定された所定の開弁時間ｂｔ（例えば９０秒）以上になるまでは（Ｓ４でＮＯ）、バイパス路３１の電磁弁３２をオンする（Ｓ５）。すると、前回の作動で高圧となっている圧縮機１２の冷媒出口１２ｂ側の冷媒が、バイパス路３１を通って低圧の圧縮機１２の冷媒入口１２ａ側に流れ込み、これにて圧縮機１２の冷媒入口１２ａ側と冷媒出口１２ｂ側との圧力の平衡化が図られる。計時時間Ｔが開弁時間ｂｔを経過すると（Ｓ４でＹＥＳ）、制御部２３は、バイパス路３１の電磁弁３２をオフにし（Ｓ６）、タイマー２９をリセットする（Ｓ７）。
【００１９】
このＳ６の時刻では、圧縮機１２が停止しているために冷蔵室５ａや冷凍室５ｂの温度は上昇している。かかる冷蔵室５ａの検知温度ＤＲが、予め設定された所定の冷蔵室弁オン温度値Ｄｎ１（例えば７℃）以上になっておらず（Ｓ８でＮＯ）、また冷凍室５ｂの検知温度ＤＦが、予め設定された所定の冷凍室弁オン温度値Ｄｎ２（例えば−２８℃）以上になっていないときには（Ｓ９でＮＯ）、Ｓ１０以降の処理を行う。なお、第１バイパスオン温度値Ｄｂ１は、冷蔵室弁オン温度値Ｄｎ１よりも低い温度値に設定され、第２バイパスオン温度値Ｄｂ２は、冷凍室弁オン温度値Ｄｎ２よりも低い温度値に設定される。また、第１バイパスオン温度値Ｄｂ１は、後述の予め設定された所定の冷蔵室弁オフ温度値Ｄｆ１よりも高い温度値に設定され、第２バイパスオン温度値Ｄｂ２は、後述の予め設定された所定の冷凍室弁オフ温度値Ｄｆ２よりも高い温度値に設定される。
【００２０】
このＳ１０の時刻では、前述のように圧縮機１２が停止して冷蔵室５ａや冷凍室５ｂの温度が上昇しているために、冷蔵室５ａの検知温度ＤＲが冷蔵室弁オフ温度値Ｄｆ１よりも高くなっている（Ｓ１０でＮＯ）。また、冷凍室５ｂの検知温度ＤＦが冷凍室弁オフ温度値Ｄｆ２よりも高くなっている（Ｓ１１でＮＯ）。このため、制御部２３は、Ｓ８に戻ってＳ８〜Ｓ１１の処理を繰り返す。
【００２１】
そして、冷蔵室５ａの検知温度ＤＲが冷蔵室弁オン温度値Ｄｎ１以上になると（Ｓ８でＹＥＳ）、制御部２３は、圧縮機１２を再起動させるとともに、冷蔵室用の電磁弁１５をオンする（Ｓ１２、Ｓ１３）。また、冷蔵室５ａの検知温度ＤＲが冷蔵室弁オン温度値Ｄｎ１よりも低くても、冷凍室５ｂの検知温度ＤＦが冷凍室弁オン温度値Ｄｎ２以上になると（Ｓ９でＹＥＳ）、制御部２３は、圧縮機１２を再起動させるとともに、冷凍室用の電磁弁１９をオンする（Ｓ１４、Ｓ１５）。つまり、制御部２３は、温度センサ２５ａ・２５ｂの検知温度ＤＲ・ＤＦのいずれかがオン温度値Ｄｎ１・Ｄｎ２以上になると圧縮機１２を再起動する。これにて冷蔵室５ａや冷凍室５ｂの温度が下降して、冷蔵室５ａや冷凍室５ｂが冷却される。
【００２２】
この冷蔵室５ａや冷凍室５ｂの冷却で、冷蔵室５ａの検知温度ＤＲが冷蔵室弁オフ温度値Ｄｆ１以下になると（Ｓ１０でＹＥＳ）、冷蔵室用の電磁弁１５をオフにする（Ｓ１６）。また、冷蔵室５ａの検知温度ＤＲが冷蔵室弁オフ温度値Ｄｆ１よりも高くても、冷凍室５ｂの検知温度ＤＦが冷凍室弁オフ温度値Ｄｆ２以下になると（Ｓ１１でＹＥＳ）、冷凍室用の電磁弁１９をオフにする（Ｓ１７）。このとき、電磁弁１５・１９が共にオフになっていると（Ｓ１８でＹＥＳ）、制御部２３は、全ての温度センサ２５ａ・２５ｂの検知温度ＤＲ・ＤＦがオフ温度値Ｄｆ１・Ｄｆ２以下になっていて、電磁弁１５・１９が共にオフになっていると判断して、圧縮機１２を停止する（Ｓ１９）。次いで、Ｓ１に戻ってＳ１以降の処理を繰り返す。一方、電磁弁１５・１９のいずれかがオンしていると（Ｓ１８でＮＯ）、圧縮機１２を停止することなく、Ｓ１に戻ってＳ１以降の処理を繰り返す。
【００２３】
次に、本フローチャートの作用を、図５のタイミングチャートを用いて具体的に説明する。例えば、外気温が低いために冷蔵室５ａの検知温度ＤＲが第１バイパスオン温度値Ｄｂ１よりも低い状態のときに、冷凍室５ｂの検知温度ＤＦが第２バイパスオン温度値Ｄｂ２以上になると（時刻ｔ１：Ｓ２でＹＥＳ）、計時時間Ｔが開弁時間ｂｔを経過するまでバイパス路３１の電磁弁３２がオンする。そして、計時時間Ｔが開弁時間ｂｔを経過すると（時刻ｔ２：Ｓ４でＹＥＳ）、バイパス路３１の電磁弁３２がオフし、その後に冷凍室５ｂの検知温度ＤＦが冷凍室弁オン温度値Ｄｎ２以上になると（時刻ｔ３：Ｓ９でＹＥＳ）、圧縮機１２が再起動（オン）するとともに冷凍室用の電磁弁１９がオンする。
【００２４】
冷凍室５ｂの検知温度ＤＦが冷凍室弁オフ温度値Ｄｆ２以下になると（時刻ｔ４：Ｓ１１でＹＥＳ）、冷凍室用の電磁弁１９がオフになり、また圧縮機１２が停止（オフ）する。その後に冷凍室５ｂの検知温度ＤＦが再び第２バイパスオン温度値Ｄｂ２以上になると（時刻ｔ５）、前述のバイパス路３１の電磁弁３２のオンオフ動作が再び行われる。
【００２５】
このバイパス路３１の電磁弁３２がオンし、計時時間Ｔが開弁時間ｂｔを経過する前に、例えば、冷凍室５ｂの検知温度ＤＦが既に冷凍室弁オン温度値Ｄｎ２以上になっていても（時刻ｔ６）、開弁時間ｂｔが経過するまでは（時刻ｔ７）、圧縮機１２の再起動が禁止され、および冷凍室用の電磁弁１９のオンは行われない。
【００２６】
また、扉１１の開閉が長期間行われない等で、冷凍室５ｂの検知温度ＤＦが第２バイパスオン温度値Ｄｂ２よりも低い状態の場合に、冷蔵室５ａの検知温度ＤＲが第１バイパスオン温度値Ｄｂ１以上になったときも（時刻ｔ８：Ｓ１でＹＥＳ）、バイパス路３１の電磁弁３２がオンする。そして、計時時間Ｔが開弁時間ｂｔを経過して（時刻ｔ９）、バイパス路３１の電磁弁３２がオフしたのち、冷蔵室５ａの検知温度ＤＲが冷蔵室弁オン温度値Ｄｎ１以上になると（時刻ｔ１０：Ｓ８でＹＥＳ）、圧縮機１２が再起動するとともに冷蔵室用の電磁弁１５がオンする。そして、冷蔵室５ａの検知温度ＤＲが冷蔵室弁オフ温度値Ｄｆ１以下になると（時刻ｔ１１）、冷蔵室用の電磁弁１５がオフになり、また圧縮機１２が停止する。
【００２７】
冷蔵室５ａの検知温度ＤＲが第１バイパスオン温度値Ｄｂ１以上になったのち（時刻ｔ１２）、計時時間Ｔが開弁時間ｂｔを経過する前に、例えば、冷蔵室５ａの検知温度ＤＲが既に冷蔵室弁オン温度値Ｄｎ１以上になっていても（時刻ｔ１３）、開弁時間ｂｔが経過するまでは（時刻ｔ１４）、圧縮機１２の再起動が禁止され、および冷蔵室用の電磁弁１５のオンは行われない。そして、開弁時間ｂｔの経過後に、バイパス路３１の電磁弁３２がオフになり、圧縮機１２が再起動するとともに冷蔵室用の電磁弁１５がオンする。冷蔵室５ａの検知温度ＤＲが冷蔵室弁オフ温度値Ｄｆ１以下になると、冷蔵室用の電磁弁１５がオフになり、また圧縮機１２が停止する。
【００２８】
このように、本発明では、圧縮機１２の作動によって冷蔵室５ａおよび冷凍室５ｂが冷却され、冷蔵室５ａおよび冷凍室５ｂの温度センサ２５ａ・２５ｂの検知温度ＤＲ・ＤＦのいずれもオフ温度値Ｄｆ１・Ｄｆ２以下になったことで、冷蔵室５ａおよび冷凍室５ｂ用の電磁弁１５・１９がいずれもオフになると、圧縮機１２が停止される。その圧縮機１２が停止後に、温度センサ２５ａ・２５ｂによる冷蔵室５ａおよび冷凍室５ｂの検知温度ＤＲ・ＤＦのいずれかが、圧縮機１２が再起動するオン温度値Ｄｎ１・Ｄｎ２よりも低いバイパスオン温度値Ｄｂ１・Ｄｂ２以上になると、バイパス路３１の電磁弁３２が開弁時間ｂｔだけオン（開弁）し、その後に圧縮機１２を再起動させる。これによって、冷蔵室５ａおよび冷凍室５ｂ内の検知温度ＤＲ・ＤＦとは無関係に、バイパス路３１の電磁弁３２の開弁時間ｂｔを確保することができる。つまり冷蔵室５ａおよび冷凍室５ｂ内の検知温度ＤＲ・ＤＦが圧縮機１２の再起動温度（オン温度）Ｄｎ１・Ｄｎ２に達したこととは無関係に、確実に開弁時間ｂｔだけ電磁弁３２を開操作し、その後に圧縮機１２を再起動させることができる。これにて、圧縮機１２の冷媒入口１２ａ側と冷媒出口１２ｂ側との圧力を確実に平衡化（均圧化）することができ、圧縮機１２の冷媒入口１２ａ側と冷媒出口１２ｂ側との間での圧力差が圧縮機１２の再起動時の負荷になって、圧縮機１２の起動不良等が生じることを確実に防止できる。
【００２９】
バイパス路３１の電磁弁３２は、冷却室５ａ・５ｂ内の検知温度ＤＲ・ＤＦが前記オンＤｎ１・Ｄｎ２に上昇する前のバイパスオン温度Ｄｂになるとオンするので、バイパス路３１の電磁弁３２がオンの間に、前記検知温度ＤＲ・ＤＦがオン温度Ｄｂ１・Ｄｂ２以上になる期間を短くすることができ、冷却室５ａ・５ｂ内の温度上昇を抑えることができる。
【００３０】
また、開弁時間ｂｔの経過前に温度センサ２５ａ・２５ｂの検知温度ＤＲ・ＤＦが既にオン温度値Ｄｎ１・Ｄｎ２以上になっていても、開弁時間ｂｔが経過するまでは圧縮機１２の再起動を禁止するので、バイパス路３１によって圧縮機１２の冷媒入口１２ａ側と冷媒出口１２ｂ側との圧力の平衡化に要する時間を確実に確保することができる。開弁時間ｂｔとしては、バイパス路３１によって圧縮機１２の冷媒入口１２ａ側と冷媒出口１２ｂ側との圧力の平衡化が確実に行える時間に設定する。
【００３１】
本発明は、冷却室５が一室のみの場合、または複数個の冷却室５のうち、一室のみを使用している場合でも適用できる。例えば冷蔵室５ａのみを使用する場合について、図５のタイミングチャートを利用して説明する。圧縮機１２が作動したのちの停止状態で冷蔵室５ａの温度が上昇して、温度センサ２５による冷蔵室５ａの検知温度ＤＲ（以下、検知温度Ｄと言う。）が第１バイパスオン温度値Ｄｂ１（以下、バイパスオン温度値Ｄｂと言う。）以上になると（時刻ｔ８参照）、バイパス路３１の電磁弁３２がオンする。
【００３２】
そして、開弁時間ｂｔの経過後に（時刻ｔ９参照）、バイパス路３１の電磁弁３２がオフになり、検知温度Ｄが冷蔵室弁オン温度値Ｄｎ１（以下、オン温度値Ｄｎと言う。）以上になると（時刻ｔ１０参照）、圧縮機１２が再起動するとともに冷蔵室用の電磁弁１５がオンする。この圧縮機１２の作動によって検知温度Ｄが冷蔵室弁オフ温度値Ｄｆ１（以下、オフ温度値Ｄｆと言う。）以下になると（時刻ｔ１１参照）、冷蔵室用の電磁弁１５がオフになり、また圧縮機１２が停止する。
【００３３】
検知温度Ｄがバイパスオン温度値Ｄｂ以上になったのち（時刻ｔ１２参照）、開弁時間ｂｔの経過前に、例えば、検知温度Ｄがオン温度値Ｄｎ以上になっていても（時刻ｔ１３参照）、開弁時間ｂｔが経過するまでは（時刻ｔ１４参照）、圧縮機１２の再起動が禁止され、および冷蔵室用の電磁弁１５のオンが行われない。そして、開弁時間ｂｔの経過後に、バイパス路３１の電磁弁３２がオフになり、圧縮機１２が再起動するとともに冷蔵室用の電磁弁１５がオンする。検知温度Ｄがオフ温度値Ｄｆ以下になると、冷蔵室用の電磁弁１５がオフになり、また圧縮機１２が停止する。
【００３４】
なお、冷却室５が冷凍室５ｂのみの場合、または複数個の冷却室５のうち、冷凍室５ｂのみを使用するにも制御部２３は、同様の動作を行う。また、本発明は、冷却室５が三室以上の場合でも適用できる。この場合にも、制御部２３は、圧縮機１２の作動状態において各冷却室５に配置した温度センサ２５の検知温度のいずれも、冷却室５毎に設定された所定のオフ温度値以下になると圧縮機１２を停止し、その後に冷却室５毎の温度センサ２５の検知温度のいずれかが、冷却室５毎に設定された所定のオン温度値以上になると圧縮機１２を再起動する。そして、制御部２３は、温度センサ２５の検知温度のいずれかが、前記オフ温度値よりも高く、且つ前記オン温度値よりも低い冷却室５毎に設定された所定のバイパスオン温度値以上になると、バイパス路３１の電磁弁３２を開弁時間ｂｔだけオンする。その後にバイパス路３１の電磁弁３２をオフし、且つ圧縮機１２を再起動させることになる。
【図面の簡単な説明】
【００３５】
【図１】本発明に係る冷却庫を示すブロック構成図である。
【図２】本発明に係る冷却庫の概略構成を示す概略縦断面図である。
【図３】本発明に係る制御部の動作を示すフローチャートである。
【図４】本発明に係る制御部の動作を示すフローチャートである。
【図５】本発明に係る制御部の動作を示すタイミングチャートである。
【符号の説明】
【００３６】
５  冷却室
５ａ  冷蔵室
５ｂ  冷凍室
６・７・９  冷却器
１２  圧縮機
１２ａ  圧縮機の冷媒入口
１２ｂ  圧縮機の冷媒出口
１３  凝縮器
２５・２５ａ・２５ｂ  温度センサ
３１  バイパス路
３２  電磁弁
【図１】
2010025483.tif 000003
【図２】
2010025483.tif 000004
【図３】
2010025483.tif 000005
【図４】
2010025483.tif 000006
【図５】
2010025483.tif 000007